(57)【要約】【課題】撮像カメラ部を内蔵した本体の天井からの取り外しが容易に行える画像装置を提供することにある。【解決手段】取り付け用ベース１の係合穴部５の開口面に臨む係合体７の係合解除操作部７４の先端面を外部からドライバー等治具で押すと、係合体７がばね付勢力に抗して内方向に移動し、係合爪７１が被係合爪３８から離脱する。このときの係合体７の移動により係合体７の突台７０の下端縁が本体２側の傾斜面３７に当たって本体２を取り付け用ベース１から押し離す力を与える。【選択図】図１
2006047868.tif 000002
【特許請求の範囲】
【請求項１】
天井に一面側が取り付けられるベースと、
撮像カメラ部を内蔵するとともに前記ベースの他面側に着脱自在に取り付けられる本体とからなり、前記ベースに前記本体を取り付ける際に前記ベースの他面に対向する本体側の一面に設けたコネクタと前記ベースの他面に設けたコネクタとが結合される画像装置において、
前記本体と前記ベースの何れか一方に被係合部を、他方に前記被係合部に対して係脱自在に係合される係合部を設け、
前記係合部は係脱両方向に移動自在に設けられ、係合方向に常時ばね付勢されて前記被係合部に対する係合状態を維持し、外部からの押し操作によって反付勢方向へ変位したときに前記被係合部との係合状態が解除されるとともに、前記本体に対して前記ベースから押し離す力を付与することを特徴とする画像装置。
【請求項２】
前記被係合部は、前記本体の一面側を前記ベースの他面側に取り付ける際に、前記本体の取り付け方向への移動時に前記係合部を前記反付勢方向に押し動かし、前記本体の位置が前記ベースに対する取り付け位置まで移動したときに前記係合部に対する押し動かし状態が解除される押圧部位を備え、前記係合部は前記押し動かされている状態が解除されると前記付勢によって元の位置に戻ることで前記被係合部と係合して前記本体を前記ベースに固持させることを特徴とする請求項１記載の画像装置。
【請求項３】
前記係合部は、前記ベースの外面からベース内方に向かって前記天井に並行する方向に押し操作可能に前記ベースに設けられていることを特徴とする請求項１又は２記載の画像装置。
【請求項４】
前記係合部が前記被係合部との係合状態が解除されるときに、前記本体に押し離し力を付与して前記ベースから押し離す量を、前記コネクタ同士の結合量より小さくしていること特徴とする請求項１乃至３の何れか記載の画像装置。
【請求項５】
前記係合部が前記被係合部との係合状態が解除されるときに、互いに係止し合う係止部及び被係止部を前記係合部及び被係止部に設けていることを特徴とする請求項１乃至４の何れか記載の画像装置。
【発明の詳細な説明】
【技術分野】
【０００１】
本発明は、監視センサやモニタカメラに用いる画像装置に関するものである。
【背景技術】
【０００２】
従来防犯等に用いられるカメラ装置には、天井等の高所の造営物に取り付けられたベース（台座部）と、撮像カメラ部を保持し、ベースに対して着脱自在に取り付ける本体（カメラホルダ）とで構成され、本体下部に被着したドーム状の透光性のカバーを介して所定のエリアを撮像カメラ部により撮像するものがある（例えば特許文献１）。
【０００３】
この特許文献１に示されるカメラ装置は、予め造営物に取り付けてあるベースに本体
を取り付ける場合には、本体をベース側に押し付けて本体側に設けたフックをベース側に設けた係止体の開口に挿通させて仮止めを行い、この状態でフック側に備えたボルトを工具により締め付けてフックをロック位置へ回動させてフックと係止体をロック位置で係止し、本体をベースに固定する。
【０００４】
逆に本体をベースから取り外す場合には工具を用いてボルトを緩めてフックを解除位置へ回動させてロックを解除し、しかる後に係止部に対するフックの係止を外して本体をベースから引くことで本体をベースから離脱させるのである。
【特許文献１】特開２００３−１８９１３８号公報（段落番号００４０〜００４２）
【発明の開示】
【発明が解決しようとする課題】
【０００５】
前記の特許文献１に示されているカメラ装置では、撮像カメラ部を保持している本体を取り付けるベースに当たっては上述したように本体をベースに押し付けて係止部とフックとを係止させて仮止めした後、工具を用いてボルトを回動させてフックをロック位置へ回動させる必要がある。また逆に本体をベースから離脱する際にも工具によりボルトを緩める作業を必要とし、高所での着脱作業が面倒であった。
【０００６】
また、ボルトの頭部を外部に臨ませる孔が本体の側面に設けられており、そのため取り外し手段であるボルトが目立ちやすく、防犯上の問題もあった。
【０００７】
本発明は、上述の点に鑑みて為されたもので、その目的とするところは撮像カメラ部を内蔵した本体の天井からの取り外しが容易に行える画像装置を提供することにある。
【課題を解決するための手段】
【０００８】
上述の目的を達成するために、請求項１の発明では、天井に一面側が取り付けられるベースと、撮像カメラ部を内蔵するとともに前記ベースの他面側に着脱自在に取り付けられる本体とからなり、前記ベースに前記本体を取り付ける際に前記ベースの他面に対向する本体側の一面に設けたコネクタと前記ベースの他面に設けたコネクタとが結合される画像装置において、前記本体と前記ベースの何れか一方に被係合部を、他方に前記被係合部に対して係脱自在に係合される係合部を設け、前記係合部は係脱両方向に移動自在に設けられ、係合方向に常時ばね付勢されて前記被係合部に対する係合状態を維持し、外部からの押し操作によって反付勢方向へ変位したときに前記被係合部との係合状態が解除されるとともに、前記本体に対して前記ベースから押し離す力を付与することを特徴とする。
【０００９】
請求項１の発明によれば、本体をベースから取り外す際に係合部を外部から押し操作するだけで、被係合部との係合状態を解除することができ、しかもベースから本体に押し離す力を付与するので、コネクタ同士の結合を緩めることが可能となり、結果容易に本体をベースから取り外すことができる。
【００１０】
請求項２の発明では、請求項１の発明において、前記被係合部は、前記本体の一面側を前記ベースの他面側に取り付ける際に、前記本体の取り付け方向への移動時に前記係合部を前記反付勢方向に押し動かし、前記本体の位置が前記ベースに対する取り付け位置まで移動したときに前記係合部に対する押し動かし状態が解除される押圧部位を備え、前記係合部は前記押し動かされている状態が解除されると前記付勢によって元の位置に戻ることで前記被係合部と係合して前記本体を前記ベースに固持させることを特徴とする。
【００１１】
請求項２の発明によれば、本体をベース側に向けて移動させるだけで、被係合部に係合部を係合させることができ、結果容易に本体をベースに取り付けることができる。
【００１２】
請求項３の発明では、請求項１又は２の発明において、前記係合部は、前記ベースの外面からベース内方に向かって前記天井に並行する方向に押し操作可能に前記ベースに設けられていることを特徴とする。
【００１３】
請求項３の発明によれば、天井に並行する方向で操作できるので、高所での操作がし易く、しかもベースから本体を取り外すための係合解除操作部位が外部から目立たない。
【００１４】
請求項４の発明では、請求項１乃至３の何れかの発明において、前記係合部が前記被係合部との係合状態が解除されるときに、前記本体に押し離し力を付与して前記ベースから押し離す量を、前記コネクタ同士の結合量より小さくしていること特徴とする。
【００１５】
請求項４の発明によれば、本体をベースから押し離す際にコネクタ同士の引っ掛かりが残るので、本体の取り外し時に急に脱落するのを防ぐことができる。
【００１６】
請求項５の発明では、請求項１乃至４の何れかの発明において、前記係合部が前記被係合部との係合状態が解除されるときに、互いに係止し合う係止部及び被係止部を前記係合部及び被係止部に設けていることを特徴とする。
【００１７】
請求項５の発明によれば、係合部と被係合部との係合が外れても、本体がベースから完全に離脱することがなく、そのため本体の取り外し時に、本体が急に脱落するようなことがない。
【発明の効果】
【００１８】
本発明は、本体をベースから取り外す際に係合部を外部から押し操作するだけで、被係合部との係合状態を解除することができ、しかもベースから本体に押し離す力を付与するので、コネクタ同士の結合を緩めることが可能となり、結果容易に本体をベースから取り外すことができるという効果がある。
【発明を実施するための最良の形態】
【００１９】
以下本発明を実施形態により説明する。
（実施形態１）
本実施形態を図１〜図１１を用いて説明する。本実施形態の画像装置は図２、図３に示すように取り付け用ベース１と、本体２とで構成され、取り付け用ベース１を天井面に固定し、この取り付け用ベース１に対して本体２を着脱自在に取り付けるようになっている。
【００２０】
取り付け用ベース１は図４、図５に示すように円盤状に形成された合成樹脂成形品からなり、天井面に対向させる一方の面側（以下一面側の方向を上側とする）側は平坦面で、他面側(以下他面側の方向を下側とする）は外周縁に沿って全周に亘り下向けに突出させた周壁１ａにより囲繞されており、この周壁１ａに囲繞された下面部１ｂの片側には下面部１ｂの中心方向に向けて開口した係止孔部５を設け、下面部１ｂの中心を挟んだ反対側位置は、本体２側に設けた後述する被係合部に係合される係合部たる係合体７を下面部１ｂの中心を通る線上に沿って移動自在に配置する配置部となっている。
【００２１】
係止孔部５は、図６に示す本体２の上面部に上向きに突出するように形成された凸台部８に設けられた外向きの係止爪６を下面部１ｂに平行する方向方向に係脱自在に係止するためのものであって、この係止孔部５を設けた部位は周壁１ａ及びコ字状の壁１ｃで囲繞されて下面開口の凹所９となっており、この凹所９は係止爪６を係止孔部５に挿入して係止させる際に凸台部８を嵌めることで位置決めを行う。
【００２２】
前記配置部は下面部１ｂの中心を通る線上に、該線の方向が長手方向となる長方形状の角孔１０を形成するとともに、この角孔１０の両側において断面Ｌ字状の壁１３を下面部１ｂから突出形成することにより対向側が開口したガイド溝部１１を設けてあり、更に前記中心を通る線上で周壁１ａと角孔１０の端部との間には下面部１ｂに並行するトンネル状で正面形状が四角形のガイド孔部１２を設けてこのガイド孔部１２の一端を周壁１ａの外面に開口させている。
【００２３】
また角孔１０の両側には周壁１ａ側において一端が下面部１ｂと一体連結され、両側及び他端が下面部１ｂより分離された弾性片４，４を並設し、弾性片４の他端下面に後述する係合体７の移動を規制するストッパ４ａを突出させている。
【００２４】
一方前記配置部に配置される係合体７は図７（ａ）に示すように平面形状が略Ｔ字状に形成されたもので、中央部の他面(下面）には突台７０を一体形成し、係合体７の中央部から突出する突片は上記ガイド孔部１２に移動自在に挿入してその先端を周壁１ａの開口より外部に臨ませる係合解除操作部７４を構成し、左右方向の横片は前記配置部のガイド溝部１１，１１に移動自在に挿入するスライド片を構成する。
【００２５】
係合解除操作部７４とは反対方向の面には後述するねじりばね１７の腕片１７ａの付勢力を受けるばね座１６を設けてある。また係合解除操作部７４側の突台７０の下部側縁に係合爪７１を設け、突台７０の下面には後述する本体２の取り外し時の脱落防止を図る係止部７２を一体立設し、更に係止部７２の先端には中央突片の向きとは逆向き方向に突出させた係止爪７３を設けている。また係合体７の中央部の一面（上面）には取り付け用ベース１の角孔１０に移動自在に入れ、係合体７が係合解除操作部７４の先端方向へ移動したときに角孔１０の一端部に当たって係合体７の動きを規制するストッパ７５（図１参照）を一体に形成している。尚前記のストッパ４ａは係合体７が係合解除操作部７４の先端方向とは逆方向へ移動したときに係合体７の横片に当たって係合体７の所定以上の移動を規制する役割を持つ。
【００２６】
而して、係合体７の横片の両端をガイド溝部１１，１１に入れるとともにガイド孔部１２に係合解除操作部７４の先部を挿入して取り付け用ベース１の下面部１ｂに係合体７を移動自在に配置する。
【００２７】
この時ストッパ７５を取り付け用ベース１の角孔１０に下方から入れる。またばね座部１６に、取り付け用ベース１の下面部１ｂ側に配設されたねじりばね１７の腕片１７ａの先部を係止して係合解除操作部７４の先端方向の付勢力を受けるようになっている。この付勢による周壁１ａ方向への係合体７の移動はストッパ７５が角孔１０の周壁１ａ側端部に当たることで規制され、この位置がガイド孔部１２内を移動して周壁１ａの外面の開口に臨む係合解除操作部７４の先端面が周壁１ａの外面と略面一となり、係合解除操作部７４の先端部が外部から目立たなくなる。
【００２８】
また外部から係合解除操作部７４の先端面を押して係合解除操作部７４をガイド孔部１２の奥方向（ベース１の内方向）に移動させたときに、係合体７の横片がストッパ４ａに当たって移動が規制され、係合解除操作部７４のガイド孔部１２からの脱落を防止する。
【００２９】
ねじりばね１７は取り付け用ベース１の下面部１ｂに突出形成した凸部１８に中央のねじり部１７ｂを挿着し、また他方の腕片１７ｃを下面部１ｂ上に突出形成した逆Ｌ字状の掛止部１９に引っ掛けている。
【００３０】
また下面部１ｂは係合体７の配置部を含めた周壁１ａに沿う部位を略円弧状に形成した配線基板２０を配置する配置部としており、この配置部の一端側には図７（ｂ）に示す配線基板２０の一端に設けた係止突片２０ａを係入する係止孔２１ａを設けた係止部２１を、また配置部の他端側には配線基板２０の他端面を係止する係止爪２２を一体に形成し、またこの係止部２１と係止爪２２間の下面部１ｂには配線基板２０を支えて基板面と下面部１ｂとの間に隙間を形成するスペーサー用凸部２３、２３’を複数設けるとともに、凸部２３には支持される配線基板２０の位置に形成した孔２０ｂに挿入する突起２３ａを一体に形成している。また適宜な下面部１ｂの位置には配線基板２０に形成した係止用孔２０ｃや切欠２０ｄに係止する係止爪２４，２５を一体に形成してある。
【００３１】
而して配線基板２０を取り付け用ベース１の下面部１ｂに取り付けに当たっては、配線基板２０の孔２０ｂに下面部１ｂ側の凸部２３の突起２３ａを挿入して上面を凸部２３及び２３’の先端面に当接し、且つ係止突片２０ａを下面部１ｂの係止部２１の係止孔２１ａに係入するとともに、下面部１ｂの係止爪２２，２４，２５に対応する部位を係止させて固定する。ここで先に配置された係合体７に対応するように設けた配線基板２０の切欠２０ｅからは係合体７の係止爪部１３が図８，図９に示すように移動自在に下方に突出される。
【００３２】
配線基板２０は、当該画像装置の信号処理を行うための回路部の電子部品が実装され、また下面側には外部からの電源線や外部への信号線等の接続線を接続するための端子を設けた端子台２６や、本体２側のコネクタ３９と結合することで本体２側の回路部と配線基板２０側の回路部と接続する雌形のコネクタ２７を下面側に実装している。
【００３３】
取り付け用ベース１に取り付けられる本体２は次のように構成される。
【００３４】
本体４は外形が円錐台状で両端が貫通した筒状で、内部を隠蔽するために非透光性の合成樹脂成型品からなるボディ２８と、このボディ２８の上側開口に被着される樹脂成形品からなる天井カバー２９と、下側開口に被着するドーム状で近赤外光のみを透過させる樹脂成形品からなるカバー（以下透光性カバーという）３と、ボディ２８内に組み込むカメラブロックＡ等で構成される。
【００３５】
ボディ２８は図１０に示すように下端開口内縁に内向きのフランジ２８ａを一体突設し、このフランジ２８ａに周方向において等間隔に設けた３つの円弧状孔２８ｂに、ドーム状の透光性カバ−３の上端縁に等間隔に上向きに突出形成した３つの逆Ｌ字状の係止突片３０を下方から挿入してカバー３を所定方向に回転させることで、フランジ２８ａを係止突片３０の横片３０ａａと透光性カバー３の上端縁との間に圧入挟持させ、透光性カバー３を着脱自在に固定するようなっている。
【００３６】
またボディ２８の内周壁に沿って上下方向に形成した天井カバー固定用の支持柱３１を周方向に所定間隔形成するとともに、天井カバー２９の下面周辺部を載置するリブ３２を内周壁に沿うように形成している。
【００３７】
天井カバー２９は合成樹脂成形品からなり、ボディ２の上面開口からボディ２内に嵌め、ボディ２の内壁面に沿うように形成した支持柱（図示せず）及びリブ（図示せず）の上端面に下面部を載せ、この状態で支持柱３１の位置に対応した挿通孔３４を介してタッピングねじ（図示せず）を支持柱の上端面に開口した取り付け孔（図示せず）に螺入締結することでボディ２の上面開口に固定されるもので、上面部には取り付け用ベース１の下面部に形成した位置決め孔１４に挿入する突起３５と、取り付け用ベース１の配置部に装着された係合体７の突台７０及び係止部７２を移動自在に嵌める凹所３６と、天井カバー２９の中心を挟んで凹所３６と反対の位置に設けられ取り付けカバー１の凹所９内に嵌り込む凸台部８と、この凸台部８の上面に断面が逆Ｌ状で横片先端を外方向に向け、凸台部８を凹所９内に嵌め込んだ時に係止孔部５内に挿入されて係止される係止爪６とを取り付け用ベース１への取り付け手段として備えている。
【００３８】
ここで天井カバー２９の外周縁側に位置する凹所３６の一端部の開口縁には凹所３６の内方向に突出し、係合体７の係合爪７１の上向き面に下向き面が係合される被係合部たる被係合爪３８と、被係合爪３８と反対側の凹所３６の端部開口縁に凹所３６の開口側から徐々に上向き傾斜し、凹所３６の当該端部方向に係合体７が移動したときに突台７０の対向側下端部で下向きの押し離し力を受ける傾斜面部３７とを設けてある。
【００３９】
更に天井カバー２９には前記取り付け手段以外に、取り付け用ベース１の下面部１ｂ側に配設された配線基板２０上のコネクタ２７に対して脱着自在に結合される雄状のコネクタ３９を露出させる開口部４０や、回路動作等の設定を行うディップスイッチ部３３の操作部を露出させた開口部４１を設けるとともに、更に天井カバー２９の下面側に配設される部材を固定するためのタッピングねじを挿通させる複数の挿通孔４２を適所に設けてある。
【００４０】
天井カバー２９の下面部は、コネクタ３９やディップスイッチ部３３等を実装し信号処理回路部等を実装した回路基板（図示せず）を配設する配設部位、後述する人体検知センサブロックＢの配設部位、監視領域の音を収集するためのマイクブロックＣの配設部位を設けている。またカメラブロックＡを回動自在に軸支する支持脚体５７、更にカメラブロックＡの後部を被蔽する保護カバー４５を支持するための突出台２９ａ等を図１１に示すように備えている。
【００４１】
カメラブロックＡは、合成樹脂成形品からなる可動カバー４６に近赤外光発光用の発光ダイオードＬＥＤ群や、撮像カメラ部１０１等を一体的に保持させてブロック化したものである。尚本実施形態の場合モノクロ画像を扱うもので、撮像カメラ部１０１はＣＣＤ素子の近赤外光域の感度を利用して、夜間撮影を可能としているが、ＣＣＤ素子をカラー撮影に対応させた場合には、発光ダイオードＬＥＤは不要となる。また透光性カバー３は透明なものを使用することになる。
【００４２】
可動カバー４６は後部が開口した浅い合成樹脂成型品の函状体からなり、中央部を前方へ膨出させるとともに、この中央膨出部４６ａの両側部の前面部を中央位置から後方に後退する形で傾斜させている。そして中央膨出部４６ａの上側面部には発光ダイオードＬＥＤ群を内部より臨ませる開口窓４６ｂを開口し、この開口窓４６ｂに対してやや斜め下方に向いた下側面部には撮像カメラ部１０１のレンズ部５１を内部より臨ませる窓孔４６ｃを開口し、中央膨出部４６ａの両側の前面部には左右に配置する発光ダイオードＬＥＤ群を内部より臨ませる開口窓４６ｂを開口している。
【００４３】
またレンズ部５１を臨ませる窓孔４６ｃを開口している面を囲む周部を、窓孔４６ｃを開口した面より高く形成し、周囲の発光ダイオードＬＥＤからの光がレンズ部５１に直接照射されるのを防ぐ隔壁５２としている。更にレンズ部５１を臨ませる窓孔４７の両側の上記隔壁５２を含めた中央膨出部４６ａの両側面にはローレット部５５を形成しており、このローレット部５５の形成部位により後述するカメラブロックＡの回動させる際に手で掴む把持部を構成している。
【００４４】
而して上述のように構成されたカメラブロックＡの天井カバー２９への取り付けは次のように行う。つまり天井カバー２９の下面中央部の両側から下向きに一体突出させた支持脚体５７，５７間に可動カバー４６を嵌め、可動カバー４６の両側面に突出している軸体５６，５６を支持脚体５７に設けている軸孔５８，５８に内側から回動自在に挿着することで、天井カバー２９に取り付けるのである。
【００４５】
ここで軸体５６は軸方向に孔が設けられるとともにこの孔５６ａを囲む環状周壁に直径方向に割溝５６ｂを形成したものであって、上記軸孔５８に挿通した状態で孔５６ａの先端からねじ（図示せず）を螺入して周壁外面を拡げることで軸孔５８の内周面に圧接させ、この圧接によって得られる摩擦力により可動カバー４６の回動位置を固定し振動などによって不用意に変化するのを防止するようになっている。
【００４６】
また支持脚体５７の下端面は回転中心と同心の円弧状面を底面とする切欠５７ａを設けるとともに、この切欠５７ａに対応する可動カバー４６の両側面には、可動カバー４６の回動に伴って切欠５７ａ内を移動し、切欠５７ａの両端部に当たることで、可動カバー４６の回動範囲を規制する突起５９を突設している。
【００４７】
保護カバー４５は合成樹脂成形品からなり、前方と上面とが開口した凹所４５ａを正面側に設けたもので、背部に設けたフランジ４５ｂの上面を上記支持脚体５７の位置より後側となる天井カバー２９の下面部に設けているリブや突台２９ａの下端に当接させて天井カバー２９の上面側から螺入されるタッピングねじ（図示せず）により天井カバー２９の下面部に固定され、前部凹所４５ａ内に可動カバー４６の後部を回動自在に収納する。
【００４８】
一方天井カバー２９の下面部の正面側周辺部には併設する人体検知ブロック（図示せず）や集音用のマイクブロック（図示せず）が実装される配設部も設けてある。
【００４９】
以上のように下面部にカメラブロックＡ、人体検知ブロック、マイクブロック及び保護カバー４５を組み付けた天井カバ−２９をボディ２８の上面開口部を塞ぐようにボディ２８に取り付け、更にボディ２８の下面開口部に透光性カバー３を被着することで本体２が構成されることになる。
【００５０】
次に上述のように構成された本体２を天井側に予め取り付けてある取り付用ベース１に対して脱着する場合について説明する。
【００５１】
画像装置を天井に取り付ける場合に当たっては、まず取り付ける天井の裏に配設したアウトレットボックスから電源線、信号線等の接続線を取り付け用ベース１の中央に開口した半月状の孔８０ａを介して下面部１ｂ側に導入するか天井面に露出配線された接続線を矩形状の孔８０ｂに対応する周壁１ａをノックアウトして開口した孔から下面部１ｂ側に導入する。そして、下面部１ｂ側の端子台２６の対応する接続端子に接続線を予め接続固定するか或いは導入した状態で取り付け用ベース１の中央部の両側に設けた一対の取り付け孔１５ａ又はこの取り付け孔１５を含む円周上に設けた４つの円弧状取り付け孔１５ｂの内の対向する１対を用いて取り付けねじ（図示せず）を下面部１ｂ側より挿入してアウトレットボックスや天井に螺子固定する。先に接続線を端子台２６に接続していない場合には天井取り付け後に接続固定する。
【００５２】
このようにして予め天井に取り付け用ベース１を固定した後、本体２を取り付け用ベース１に脱着自在に取り付けるのである。
【００５３】
この取り付けの場合、まず本体２の片側を傾けながらこの片側に設けた凸台部８を取り付け用ベース１の下面部１ｂの凹所９に嵌めながら係止爪６を係止孔部５に挿入する。この状態で本体２の凹所３６内に係合体７を挿入するとともに取り付け用ベース１側の位置決め孔１４に突起３５を挿入して本体２を取り付け用ベース１側に押し付ける。この押し付けにより取り付け用ベース１の係合体７の係合爪７１の下向き傾斜面が凹所３６の開口縁に設けた被係合爪３８の上向き傾斜面に押され、これにより係合体７はねじりばね１７の付勢力に抗して取り付け用ベース１の内方向に移動し、係合解除操作部７４の先端面がガイド孔部１２の開口面より奥方向へ移動する。やがて被係合爪３８の先端が係合爪７１の先端を越えて押圧力が解除されると、ねじりばね１７の付勢力により係合体７が、係合爪７１の上向き面を被係合爪３８の下向き面に沿わせるように元の位置方向へ移動し、係合爪７１が被係合爪３８と係合される。これにより本体２は取り付け用ベース１に固持されることになって取り付け用ベース１に対する本体２の取り付けが完了する。
【００５４】
このとき取り付け用ベース１側のコネクタ２７と本体２のコネクタ３９とが結合されて、本体２側の回路が取り付け用ベース１側の回路と電気的に接続され、本体２側の回路には取り付け用ベース１の端子台２５に接続された接続線を通じて電源が供給され、また本体２側からの警報出力等の信号は取り付け用ベース１側の端子台２５に接続された接続線を通じて外部へ出力されることになる。
【００５５】
次にメンテナンス等において、本体２を取り付け用ベース１より外す必要がある場合には図１（ａ）に示すように係合穴部５の開口面に臨む係合解除操作部７４の先端面を外部からドライバー等治具で矢印方向（内方向）に押すと、係合体７がねじりばね１７の付勢力に抗して内方向に移動し、係合爪７１が被係合爪３８から離脱する。このときの係合体７の移動により図１（ｂ）に示すように係合体７の突台７０の下端縁が本体２側の傾斜面部３７に当たって下向きの押し離し力をこの傾斜面部３７に与え、本体２を取り付け用ベース１から押し離すようにする。つまり本体２は取り付け用ベース１の係止孔部５に係止している係止爪６の係止位置を中心として下向きに回動する。この回動によって本体２側のコネクタ３９がコネクタ２８との結合を離す方向に移動することになる。このとき移動量、つまり押し離し量をコネクタ２７，３９の結合量より小さくすることで、引っ掛かっている状態を維持する（図１（ｂ））。更に係合解除操作部７４を押すと、図１（ｃ）に示すように係止部７２の係止爪７３が傾斜面部３７の下方に位置する凹所３６の奥内に入って傾斜面部３７の裏部に係止することになり、コネクタ３９と２７の引っ掛かりが無くなっても本体２が不用意に脱落するのを防ぐ。つまり傾斜面部３７の裏部が係止爪７３に係止される被係止部を構成する。この状態で作業者は本体２を手で持ちながら、係合解除操作部７４の押し込みを止めれば、図１（ｄ）に示すように係合解除操作部７４はねじりばね１７の付勢力により元の状態に戻って、係止爪７３による本体２の受けが解除され、この後係止爪６を係止孔部５から抜けば、安全に本体２を取り付けベースから外すことができることになる。尚図１中４４はコネクタ３９を実装している基板である。
【００５６】
また係止爪７３を備えた係止部７２を係合体７の横片の両側下面に図１２に示すように一体形成しても良く、この場合、係止爪７３に対応して本体２側の凹所３６の横幅を広くする必要がある。
【００５７】
本実施形態において、コネクタ２９，３９の結合量より押し離し量を小さく構成と、上記の被係止部と係止爪７３との係止による構成とで脱落防止が図っているが、被係止部と係止爪７３との係止による構成だけでも良い。
（実施形態２）
尚上述の実施形態では係止爪７３を設けて本体２の不用意な脱落防止を図っているが、この係止爪７３を設けなくても、コネクタ３９と２７の引っ掛かりによって不用意な脱落を防止できるため本体２を取り付け用ベース１からの取り外しを容易にするという目的を達成できるのは勿論ある。
【００５８】
図１３（ａ）〜（ｃ）は本実施形態の係止爪７３を設けない場合の本体２の取り外し過程を示しており、上述のように本体２の押し離し量をコネクタ３９，２７の結合量より小さくすることで、図１３（ｂ）においてコネクタ３９，２７の引っ掛かり状態を維持するようにすれば、不用意な脱落を防止することができる。
【図面の簡単な説明】
【００５９】
【図１】実施形態１の本体の取り外し説明図である。
【図２】実施形態１の全体の斜視図である。
【図３】実施形態１の分解斜視図である。
【図４】実施形態１の取り付け用ベースの斜視図である。
【図５】実施形態１の取り付け用ベースの斜視図である。
【図６】実施形態１の本体の斜視図である。
【図７】（ａ）は係合体の斜視図、（ｂ）は配線基板の斜視図である。
【図８】実施形態１の配線基板及び係合体を組み付けた状態の取り付け用ベースの斜視図である。
【図９】実施形態１の配線基板及び係合体を組み付けた状態の取り付け用ベースの斜視図である。
【図１０】実施形態１の透光性カバーを外した状態の斜視図である。
【図１１】実施形態１のカメラブロックと天井ベースとの分解斜視図である。
【図１２】実施形態１に用いる係合体の別の例の斜視図である。
【図１３】実施形態２の本体の取り外し説明図である。
【符号の説明】
【００６０】
１  取り付け用ベース
２  本体
５  係止孔部
６  係止爪
７  係合体
７０  突台
７１  係合爪
７２  係止部
７３  係止爪
７４  係合解除操作部
３７  傾斜面部
３８  被係合爪
【図１】
2006047868.tif 000003
【図２】
2006047868.tif 000004
【図３】
2006047868.tif 000005
【図４】
2006047868.tif 000006
【図５】
2006047868.tif 000007
【図６】
2006047868.tif 000008
【図７】
2006047868.tif 000009
【図８】
2006047868.tif 000010
【図９】
2006047868.tif 000011
【図１０】
2006047868.tif 000012
【図１１】
2006047868.tif 000013
【図１２】
2006047868.tif 000014
【図１３】
2006047868.tif 000015